(57)【要約】  本発明は、音声認識を利用する待機電力遮断電気装置及び方法に関し、より詳しくには、電源プラグまたは分電盤ブレーカー（ＭＣＣＢ、ＥＬＢの形態）に接続して電源を供給することができるようにされた壁面コンセント、床コンセント、マルチタップまたは回路遮断器（ＭＣＣＢ、ＥＬＢ）などのような電源接続器に設置されて回路遮断器を通じて繋がれる外部の電気機器が使われていない時、外部の電気機器に不必要に供給される全力を完全に遮断することができることにその特徴がある。【選択図】図１
2017506496.tif 000002
【特許請求の範囲】
【請求項１】
音声認識を利用する待機電力遮断電気装置において、
電気／電子製品の使用時安全のための安全ヒューズまたは安全スイッチ部（１００）と、
電気／電子製品に電源を供給するための待機電力遮断器出力部（１１００）と待機電力遮断器入力部と電力電源部（６００）との間に設置されて電源供給及び遮断をするリレー５部（２００）と、
前記待機電力遮断器出力部（１１００）と安全ヒューズ及び安全スイッチ部（１００）との間に設置されて電源連結及び遮断をする各々のリレー１部、リレー２部、リレー３部、リレー４部からなる出力リレー部（３００）と、
前記出力リレー部（３００）と待機電力遮断器出力部（１１００）との間に設置されて、電流検出及び過電流を検出して制御部（５００）に検出された信号を伝達するための負荷電流検出部（４００）と、
前記負荷電流検出部（４００）の信号を受けて出力リレー部（３００）を制御する制御部（５００）と、
前記制御部（５００）の動作に必要な電源を供給するために充電部（７００）に電源を供給する電力電源部（６００）と、
前記電力電源部（６００）に連結されて音声認識音声再生マイコン部（９００）の動作用電源及び制御部の電源を供給する充電部（７００）と、
前記充電部（７００）と制御部（５００）とを連結及び遮断するリレー６部（８００）と、
前記充電部（７００）に連結されて充電電源で常時電力電源部（６００）のオン／オフ信号及び外部から感知された音声信号によって、待機電力遮断窓装置をオン／オフできる音声認識音声再生マイコン部（９００）と、
前記音声認識音声再生マイコン部（９００）と制御部（５００）との間に設置されて音声認識を再生するマイクスピーカー部（１０００）と、を含んで形成されたことを特徴とする音声認識を利用する待機電力遮断電気装置。
【請求項２】
第１項において、
前記音声認識音声再生マイコン部（９００）の信号が制御部（５００）に伝達されず、負荷電流検出部（４００）からの検出信号を受けて待機電力遮断器出力部（１１００）の負荷量を感知してリレー５部（２００）を作動させる信号を音声認識音声再生マイコン部（９００）に伝達するように連結されたことを特徴とする音声認識を利用する待機電力遮断電気装置。
【請求項３】
音声認識を利用する待機電力遮断方法において、
音声認識音声再生マイコン部で待機電力遮断装置の作動有無を指示する音声信号が感知されると、待機電力遮断信号の時には、電力電源部と制御部を遮断する信号を送ることによって、待機電力を遮断し、待機電力遮断装置を動作させて信号が感知されると、電力電源部に入力電源が供給されて電力電源部が動作されて、この信号を音声認識音声再生マイコン部で感知して、制御部に電力電源部の電源を供給することによって、制御部では待機電力遮断装置出力部の各々の負荷量を感知して、感知された信号状態にしたがって出力部の待機電力状態を制御することを特徴とする音声認識を利用する待機電力遮断方法。
【発明の詳細な説明】
【技術分野】
【０００１】
本発明は音声認識を利用する待機電力遮断電気装置および方法に関し、より詳細には、電源プラグまたは分電盤ブレーカー（ＭＣＣＢ、ＥＬＢの形態）に接続して電源を供給することができるようにされた壁面コンセント、底コンセント、マルチテプまたは回路遮断器（ＭＣＣＢ、ＥＬＢ）などのような電源接続器（以下「コンセント」または「回路遮断器」という）に設置されて回路遮断器を通じて連結される外部の電気機器が使われていない時、外部の電気機器に不必要に供給される電力を完全に遮断できるようにした音声認識を利用する待機電力遮断電気装置および方法に関するものである。
【背景技術】
【０００２】
電気／電子技術の発達とともに電気／電子製品の量的／質的増加は多くの部分で活用されることによって、生活を便利にしている。しかし、電気／電子製品の増加によって、電気エネルギーの使用量も増加していて、限定的な電気エネルギーの消費の問題に対する警戒心も必要な実情である。
【０００３】
電気／電子製品は、機器を使っている場合にはもちろん、機器の電源が切れた状態であっても機器がコンセントに常に接続されていて、電源と機器が電気的に連結されている場合には、機器に待機電流が流入して電力消耗が発生する。
【０００４】
このような待機電流による電力消耗を防止するには、電気／電子製品を使わない場合には、コンセントからコードを抜くべきなのに、毎度このような過程を繰り返すには、非常に面倒なだけでなく、実際にこのようにプラグとコンセントを分離する使用者は珍しい実情である。
【０００５】
このようにプラグとコンセントの分離を易しくするために、複数の電気／電子製品を電源に連結して、スイッチを動作させることによって、電源と機器の電流経路を遮断するマルチテプが使われたりもする。
【０００６】
しかし、このようなマルチテプもスイッチを動作する手作業が必要として、冷蔵庫のように常時電源を使う製品は、別に連結する必要性をもたらす。
【０００７】
そして、近年では室内インテリアの側面で一般コンセントやマルチテプなどを肉眼で簡単に露出させない傾向があって、機器のコードを抜いたりマルチテプのスイッチを作動させることがより不便な傾向がある。
【０００８】
このような問題点を解決するために、待機電力を遮断する装置も提案されたが、近年の待機電力遮断装置の概要は、電気／電子機器に待機電流が流れる場合にリレー（継電器）を作動させて電流の流れを遮断するのを基にしている。
【発明の概要】
【発明が解決しようとする課題】
【０００９】
したがって、本発明は、前記前述した問題点を解決するために案出されたされたものであって、本発明は、待機電力遮断する時にも待機電力遮断装置に電源が供給されないで、外部の電気機器に不必要に供給される電力を１００％完全に遮断することはもちろん、待機電力遮断回路にも電源が供給されないようにして消耗される電気を節約することができ、また、回路の寿命が延びることで回路の信頼度（ＭＴＢＦ）を向上させるようにした音声認識を利用する待機電力遮断電気装置および方法を提供することを目とする。
【００１０】
そして、本発明は、待機電力を自動的に測定または簡単かつ正確に設定することによって、使用が便利で正確な動作を実行する音声認識を利用する待機電力遮断電気装置および方法を提供することを目的とする。
【課題を解決するための手段】
【００１１】
前記した問題点を解決するために、本発明に係る音声認識を利用する待機電力遮断電気装置は、待機電力遮断電気装置において、電気／電子製品の使用時安全のための安全フューズおよび安全スイッチ部１００と、電気／電子製品に電源を供給するための待機電力遮断器出力部１１００と前記待機電力遮断器入力部と電力電源部との間に設置されてリレーコイルの作動の有無にしたがって、待機電力遮断器入力部と電力電源部とを連結および遮断するリレー５部２００と、前記各々の待機電力遮断器出力部と安全フューズおよび安全スイッチ部の間に設置されて各々のリルレイコイルの作動有無にしたがって、各々の待機電力遮断器出力部と安全フューズおよび安全スイッチ部を連結および遮断する各々のリレー１部、リレー２部、リレー３部、リレー４部からなる出力リレー部３００と、前記各々のリレー１部、リレー２部、リレー３部、リレー４部からなるリレー部と各々の出力部とを連結する連結線に電気的に連結されて、電流を電圧に変換して電流検出および過電流検出をして制御部へ電流を電圧に変換して送出するための各々の出力部の負荷電流を検出するフォトセンサー１、フォトセンサー２、フォトセンサー３、フォトセンサー４が含まれた負荷電流検出部４００と、前記負荷電流検出部の信号を受けてリレー部の各々のリレーを制御する制御部５００と、前記制御部の動作に必要な電源を作る充電部の電源を供給する電力電源部６００と、前記電力電源部に連結されて、音声認識音声再生マイコン部の動作用電源及び制御部の電源を供給する充電部７００と、前記充電部と制御部とを連結および遮断するリレー６部８００と、前記充電部７００に連結されて、充電電源で常時電力電源部６００のオン／オフ信号および外部から感知された音声信号によって、待機電力遮断装置をオン／オフできる音声認識音声再生マイコン部９００と、前記音声認識音声再生マイコン部と制御部との間に設置されて音声認識を再生するマイクスピーカー部１０００を含んで形成されたのを特徴とする音声認識を利用する待機電力遮断電気装置によって達成される。
【００１２】
一方、前記音声認識音声再生マイコン部９００の信号が制御部５００に伝達されず、負荷電流検出部４００からの検出信号を受けて、待機電力遮断器出力部１１００の負荷量を感知して、リレー５部２００を作動させる信号を音声認識音声再生マイコン部９００に伝達するように連結されたのを特徴とする音声認識を利用する待機電力遮断電気装置によって達成される。
【００１３】
前記音声認識音声再生マイコン部で待機電力遮断装置の作動の有無を指示する音声信号が感知されると、待機電力遮断信号時には、電力電源部と制御部を遮断する信号を送ることによって、待機電力を遮断し、待機電力遮断装置を動作させて信号が感知されると電力電源部に入力電源が供給されて、電力電源部が動作して、この信号を音声認識音声再生マイコン部で感知して、制御部に電力電源部の電源を供給することで、制御部では待機電力遮断装置出力部の各々の負荷量を感知して、感知された信号状態にしたがって、出力部の待機電力状態を制御するということを特徴とする音声認識を利用する待機電力遮断方法によって達成される。
【発明の効果】
【００１４】
このような本発明に係る音声認識を利用する待機電力遮断電気装置は、待機電力状態に転換された後、遮断時、リレー部がオフされるにしたがって、使う負荷および内部回路基板の電源も遮断されるようにして、待機電力の完全遮断（１００％）を実現化できて、消耗する電気を節約することができ、また、回路の寿命が延びることで回路の信頼度（ＭＴＢＦ）を向上させることができ、外部で音声で待機電力遮断装置をオン／オフするなどの効果がある。
【図面の簡単な説明】
【００１５】
【図１】本発明の音声認識方法を利用する待機電力遮断装置の構成を示すブロック図である。
【図２】本発明の他の実施例を示すブロック図である。
【発明を実施するための形態】
【００１６】
以下上記目的が具体的に実現されることができる本発明の実施例を添付された図面を参照して説明する。本実施例を説明するということにおいて、同一構成に対しては、同一名称および符号が使われて、これに伴う付加的な説明は下記で省略される。
【００１７】
図１に図示された通り、本発明の音声認識方法を利用する待機電力遮断装置は、電気／電子製品の使用時安全のための安全フューズおよび安全スイッチ部１００と、電気／電子製品に電源を供給するための各々の出力部の待機電力を遮断する待機電力遮断器出力部１１００と前記待機電力遮断器入力部と電力電源部６００との間に設置されて音声認識音声再生マイコン部９００から待機電力オン信号を受けて、リレー５部２００の作動の有無にしたがって、待機電力遮断器入力部と電力電源部６００とを連結および遮断するリレー５部２００と、前記リレー５部２００の動作で待機電力遮断器入力部のＡＣ電源が電力電源部６００に供給されて、充電部７００を充電させる電力電源部６００と、前記電力電源部の電源を受けて充電される充電部７００とが設置される。
【００１８】
この時、充電部７００は、待機電力が流れる時は、制御部の電源を供給するにしたがって、電力電源部６００の電源を受けて充電をするが、待機電力が遮断された時は、音声認識音声再生マイコン部９００の電源として音声認識音声再生マイコン部を動作させる。
【００１９】
上記各々の待機電力遮断器出力部１１００ＡＣ−ＯＵＴ１、ＡＣ−ＯＵＴ２、ＡＣ−ＯＵＴ３、ＡＣ−ＯＵＴ４と安全フューズおよび安全スイッチ部１００の間に設置されて、各々のリレーコイルの作動の有無にしたがって、各々の待機電力遮断器出力部１１００と安全フューズおよび安全スイッチ部１００とを連結および遮断するリレー１部、リレー２部、リレー３部、リレー４部からなる出力リレー部３００と、上記各々のリレー１部、リレー２部、リレー３部、リレー４部からなる出力リレー部３００と各々の出力部とを連結する連結線に電気的に連結されて電流を電圧に変換して電流検出および過電流検出をして制御部へ電流を電圧に変換して送出するための各々の出力部の負荷電流を検出するフォトセンサー１、フォトセンサー２、フォトセンサー３、フォトセンサー４からなる負荷電流検出部４００と、前記負荷電流検出部の信号を受けてリレー部各々のを制御する制御部５００とが設置される。
【００２０】
前記制御部５００は、各々の負荷電流検出部４００の信号を受けて、出力リレー部３００各々のリレーを制御することで、出力部の待機電力を各々の制御することができる。
【００２１】
前記充電部７００と制御部５００との間に設置されて、リレーコイルの作動の有無にしたがって、充電部と制御部とを連結および遮断するリレー６部８００が設置される。
【００２２】
この時、電力電源部６００の動作状態を音声認識音声再生マイコン部が認識して、電力電源部６００がオンされた時、リレー６部８００のコイルを動作させて、制御部に電源を供給して制御部５００を動作させるか、あるいは、電力電源部６００がオフされた時は、リレー６部８００を動作させなくて、制御部５００に電源を供給しないことによって、待機電力を完全に遮断することができる。
【００２３】
前記音声認識音声再生マイコン部９００は、待機電力のオン／オフを音声で制御でき、待機電力遮断状態では、充電部７００の電源で動作してリレー５部２００を遮断して、電力電源部６００のオフ動作信号を受けて、リレー６部８００を遮断する。
【００２４】
待機電力が流れる時は、リレー５部２００に動作信号を送ってリレー５部２００を動作させて、待機電力遮断器入力部のＡＣを電力電源部に供給して動作させることによって、電力電源部６００のオン動作信号を受けてリレー６部８００のコイルに動作信号を送って、リレー６部８００を動作させる。
【００２５】
上記音声認識音声再生マイコン部９００と制御部５００との間に設置されて、音声認識を再生するマイクスピーカー部１０００を含んで形成された構造である。上記待機電力遮断器出力部は、電気／電子製品用マルチタップ、コンセントまたは、配電盤遮断部のように電気／電子製品に電源を供給するために連結される手段を通称する。
【００２６】
このように本発明に係る音声認識を利用する待機電力遮断方法は、負荷に常用電圧でない待機電流が流入されるかどうかを判断して、待機電流が流入する場合に、電源と負荷（電気／電子製品）との間の電流経路を遮断することによって、待機電流による電力消耗を遮断することができる。また、待機電力遮断時、待機電力遮断装置回路の電源も遮断することによって、回路保護だけでなく完全に（１００％）待機電力を遮断することができる。
【００２７】
一方、図２に示すように、上記音声認識音声再生マイコン部９００の信号が制御部５００に伝達されず、負荷電流検出部４００からの検出信号を受けて待機電力遮断器出力部１１００の負荷量を感知して、リレー５部２００を作動させる信号を音声認識音声再生マイコン部９００に伝達するように連結して使うこともできる。
【００２８】
本発明の技術分野で通常の知識を持った者は、技術的思想を多様な形態で改良したり変更することが可能だ。したがって図面を参照して説明した本発明の実施例は、本発明の技術的思想を限定すると解釈されてはいけなくて、本発明の保護範囲は、請求範囲に記載された事項によってだけ制限される。
【符号の説明】
【００２９】
１００  全フューズおよび安全スイッチ部、２００  リレー５部、３００  出力リレー部、４００  負荷電流検出部、５００  制御部、６００  電力電源部、７００  充電部、８００  リレー６部、９００  音声認識音声再生マイコン部、１１００  待機電力遮断器出力部
【図１】
2017506496.tif 000003
【図２】
2017506496.tif 000004
【国際調査報告】
2017506496.tif 000005
2017506496.tif 000006
2017506496.tif 000007
2017506496.tif 000008